(57)【要約】      （修正有）【課題】上から見た輪郭が正五角形または実質上正五角形にカットされることにより、結晶構造とは異なる光の分散を得ることができる一方、オリジナルな光輝および輝きがある光学的効果を得ることができる新しい宝石を提供する。【解決手段】宝石、特にダイヤモンドは、ガードルが正五角形または実質上正五角形の輪郭を有し、５個の頂点１３と５個の稜線１４とを持つ。幾何学的中心軸は、好ましくは宝石の結晶構造の三元対称結晶軸の１つに対応する。ガードルによってクラウン１０とパビリオンとが分離されて構成され、クラウン１０およびパビリオンの幾何学的中心軸の周りに５分割された点対称に５または５の倍数の切子面２１〜２４を有する。このようにカットされた宝石は、結晶構造とは異なる光の分散を得ることができ、オリジナルな光輝および輝きがある光学的効果を得ることができる。【選択図】図１
0003149720.tif 000002
【実用新案登録請求の範囲】
【請求項１】
クラウンにカットされた５または５の倍数の切子面と、幾何学的中心軸の周りのパビリオンにカットされた５または５の倍数の切子面とを有し、前記クラウンの切子面および前記パビリオンの切子面が前記幾何学的中心軸の周りに５分割の点対称に配置され、前記クラウンおよび前記パビリオンを分離するガードルが５個の頂点と５個の稜線とからなる正五角形または実質上正五角形の輪郭を有することを特徴とする宝石。
【請求項２】
ダイヤモンドまたはダイヤモンドの屈折率および散乱係数と実質上等しい屈折率および散乱係数を有する石から構成されることを特徴とする請求項１記載の宝石。
【請求項３】
前記幾何学的中心軸が、宝石の結晶構造の三元対称結晶軸の１つに対応することを特徴とする請求項１または２記載の宝石。
【請求項４】
前記クラウンが、正五角形または実質上正五角形の輪郭を持つテーブルと、該テーブルと縁部を共有する５個の第１の切子面と、５個の第１の切子面の間に介在する１０個の第２の切子面と、第２の切子面と縁部を共有する１０個の第３の切子面と、第２の切子面および第３の切子面と縁部を共有する１０個の第４の切子面とを有することを特徴とする請求項１ないし３の何れかに記載の宝石。
【請求項５】
前記パビリオンが、前記ガードルと縁部を共有する５個の第５の切子面と、第５の切子面と縁部を共有する１０個の第６の切子面と、２個の隣接する第６の切子面の間に介在する５個の第７の切子面と、第６の切子面および第７の切子面と縁部を共有する１０個の第８の切子面と、第７の切子面および第８の切子面と縁部を共有する５個の第９の切子面とを有することを特徴とする請求項１ないし４の何れかに記載の宝石。
【請求項６】
前記ガードルの輪郭をなす正五角形または実質上正五角形の対角線の長さを１００％としたときに、前記テーブルの正五角形または実質上正五角形の対角線の長さが５３〜５８％に形成され、前記クラウンの高さが１５〜２０％に形成され、前記パビリオンの深さが４０〜５５％に形成されていることを特徴とする請求項１ないし５の何れかに記載の宝石。
【請求項７】
ガードル平面と第３の切子面との角度であるクラウン角が３４°〜３８°の間に形成され、ガードル平面と第９の切子面との角度であるパビリオン角βが３８°から４２°の間に形成され、キューレットを挟む第９の切子面と第９の切子面との角度であるキューレット角γが１０５°から１０９°の間に形成されていることを特徴とする請求項１ないし６の何れかに記載の宝石。
【考案の詳細な説明】
【技術分野】
【０００１】
本考案は宝石に関し、特に上から見た輪郭が五角形（ペンタグラム）にカットされた宝石に関する。なお、本明細書において「宝石」には、ダイヤモンド等の天然宝石ばかりでなく、コランダム，キュービックジルコニア等の合成宝石，人造宝石等の準宝石も含むものとする。
【背景技術】
【０００２】
五という数字は、人間の身体の構造や手足の指の数をも含めて、自然界において大きな意味を持っている。また、五大陸や五大洋というように地理的な意味でも五という数字は大きな意味を持っている。さらに、中国では、木，火，土，金，水という、いわゆる五行説などがあり、五という数字を特別視している。
【０００３】
また、正五角形は、古来から神秘的な形として考えられてきている。正五角形の頂点を１つ飛びにつなぎながら最後に元の点に戻ると星の形になる。この星の形を五芒星（ソロモンの星）と呼び、五芒星は、互いに交差する、長さの等しい５本の線分から構成される星型正多角形である。五芒星の５頂点を持つ星形の中には新しい正五角形ができる。それぞれの線が他の線と交差してできた線分と元の線分、および最初の正五角形の辺長は、それぞれみな黄金分割比の関係となる。五芒星の内側に生じる小さな正五角形を取り除いた形は、五光星と呼ばれることがある。
【０００４】
一方、宝石は、永い間、粗く、カボションに、あるいは種々のしばしば不規則な形状にカットされ、唯一の関心は宝石に可能な最大の容積を与えることであった。現在はカッティングの技術が大いに発展したので、カットは結晶光学の法則を遵守することにより科学的に遂行され、透明な宝石に対し最良の収量の光学的性能を得るようにされている。
【０００５】
特に、ダイヤモンドは、光の波長の関数としての屈折率の高い散乱を有する。強い散乱は、ダイヤモンドが示す輝きの源である。光がカットされたダイヤモンドの磨かれた切子面上の屈折および反射によりばらばらにされる場合にのみ輝きが存在する。かくして、ブリリアントカットが発達し、さらに改良された。しかし、ダイヤモンドの原石は、その結晶形が理想的な形状であることは少なく、結晶面が不均等に発達して、その形が歪んだり、変形したものが多い。ダイヤモンドの多くの結晶の形を整理分類してみると、そのほとんどが、三種類の基本となる結晶の組み合わせによりできていることが分かる。最も多いのが、八面体結晶（オクタヘドロン）、次いで多いのが、十二面体結晶（ドデカヘドロン）、比較的に少ないのが、六面体結晶（キュービック）である。
【０００６】
従来のブリリアントカットは、一般にカットされる切子面をそれらを含む円錐の母線に対し平行におくことにより四方に通ずる幾何学的対称軸を有し、これらは数が４または４の倍数であり、例えば８の星（スター），１６のクラウントライアングルおよび１６のパビリオントライアングルの如きである。このようにカットされたダイヤモンドは、見る者に対し４倍の対称を有するイメージを与える（例えば、特許文献１参照）。
【０００７】
また、ブリリアントカット以外のラウンド，オーバール，スクエア，レクタングル，ペア，ハート，ペンタゴン等の種々の形状にカットされた宝石が知られている（例えば、非特許文献１参照）。
【先行技術文献】
【特許文献】
【０００８】
【特許文献１】特開２００１−２０４５２０号公報
【非特許文献】
【０００９】
【非特許文献１】ＧＩＡダイヤモンド事典，ＧＩＡ  ＪＡＰＡＮ，１９６９年４月１１日発行
【考案の概要】
【考案が解決しようとする課題】
【００１０】
従来のブリリアントカットでカットされたダイヤモンドは、見る者に対し４倍の対称を有するイメージを与えるような固定的な形状しかなく、稀に他の形でカットされることはあったが、形としての面白みが少なくなく、かつ希少性にも劣るという問題点があった。
【００１１】
本考案の目的は、上から見た輪郭が正五角形または実質上正五角形にカットされることにより、結晶構造とは異なる光の分散を得ることができる一方、オリジナルな光輝および輝きがある光学的効果を得ることができる新しい宝石を提供することにある。
【課題を解決するための手段】
【００１２】
本考案の請求項１に係る宝石は、クラウンにカットされた５または５の倍数の切子面と、幾何学的中心軸の周りのパビリオンにカットされた５または５の倍数の切子面とを有し、前記クラウンの切子面および前記パビリオンの切子面が前記幾何学的中心軸の周りに５分割の点対称に配置され、前記クラウンおよび前記パビリオンを分離するガードルが５個の頂点と５個の稜線とからなる正五角形または実質上正五角形の輪郭を有することを特徴とする。
【００１３】
請求項２に係る宝石は、請求項１に記載の宝石において、ダイヤモンドまたはダイヤモンドの屈折率および散乱係数と実質上等しい屈折率および散乱係数を有する石から構成されることを特徴とする。
【００１４】
請求項３に係る宝石は、請求項１または２に記載の宝石において、前記幾何学的中心軸が、宝石の結晶構造の三元対称結晶軸の１つに対応することを特徴とする。
【００１５】
請求項４に係る宝石は、請求項１ないし３の何れかに記載の宝石において、前記クラウンが、正五角形または実質上正五角形の輪郭を持つテーブルと、該テーブルと縁部を共有する５個の第１の切子面と、５個の第１の切子面の間に介在する１０個の第２の切子面と、第２の切子面と縁部を共有する１０個の第３の切子面と、第２の切子面および第３の切子面と縁部を共有する１０個の第４の切子面とを有することを特徴とする。
【００１６】
請求項５に係る宝石は、請求項１ないし４の何れかに記載の宝石において、前記パビリオンが、前記ガードルと縁部を共有する５個の第５の切子面と、第５の切子面と縁部を共有する１０個の第６の切子面と、２個の隣接する第６の切子面の間に介在する５個の第７の切子面と、第６の切子面および第７の切子面と縁部を共有する１０個の第８の切子面と、第７の切子面および第８の切子面と縁部を共有する５個の第９の切子面とを有することを特徴とする。
【００１７】
請求項６に係る宝石は、請求項１ないし５の何れかに記載の宝石において、前記ガードルの輪郭をなす正五角形または実質上正五角形の対角線の長さを１００％としたときに、前記テーブルの正五角形または実質上正五角形の対角線の長さが５３〜５８％に形成され、前記クラウンの高さが１５〜２０％に形成され、前記パビリオンの深さが４０〜５５％に形成されていることを特徴とする。
【００１８】
請求項７に係る宝石は、請求項１ないし６の何れかに記載の宝石において、ガードル平面と第３の切子面との角度であるクラウン角が３４°〜３８°の間に形成され、ガードル平面と第９の切子面との角度であるパビリオン角βが３８°から４２°の間に形成され、キューレットを挟む第９の切子面と第９の切子面との角度であるキューレット角γが１０５°から１０９°の間に形成されていることを特徴とする。
【考案の効果】
【００１９】
本考案の宝石は、正五角形または実質上正五角形のイメージおよび光の反射の作用と５個の光線を出す星のような異なる色合いとを与え、正五角形または実質上正五角形が見る者にむけて玉虫色の光学的効果を奏する。
【図面の簡単な説明】
【００２０】
【図１】本発明の実施例１に係る宝石の上面図。
【図２】本実施例１に係る宝石の上面透過図。
【図３】本実施例１に係る宝石の底面図。
【図４】本実施例１に係る宝石のガードルの稜線を中心として見た側面図。
【図５】本実施例１に係る宝石のガードルの頂点を中心として見た側面図。
【図６】本実施例１に係る宝石の断面図。
【考案を実施するための形態】
【００２１】
本考案の宝石は、ダイヤモンドまたはダイヤモンドのものに実質上等しい屈折率および散乱係数を有する石により構成される。宝石のカットの幾何学的形状は、正五角形または実質上正五角形の回転の幾何学的中心軸を有する。カットの切子面は、かくして正五角形または実質上正五角形の配置で幾何学的中心軸の周りに５分割の点対称に配置される。好ましくは、その幾何学的対称の中心軸（幾何学的中心軸）は、宝石の結晶構造の三元対称結晶軸の１つに対応する。これらの特性を以て、宝石の結晶構造とは異なる光の分散を得ることができる一方、オリジナルな光輝および輝きがある光学的効果を得ることができる。
【００２２】
以下、本考案の実施例１に係る宝石を、図面を参照しながら説明する。
【実施例１】
【００２３】
なお、以下の説明では、宝石が、ダイヤモンドである場合を例にとって説明する。
【００２４】
図１〜図６は、本考案の実施例１に係る宝石であるダイヤモンドの上面図，上面透過図，底面図，ガードル２０の稜線を中心として見た側面図，ガードル２０の頂点を中心として見た側面図，および断面図である。このダイヤモンドは、クラウン１０と、ガードル２０により分離されたパビリオン３０とを有する。このダイヤモンドのカットの幾何学的形状は、正五角形または実質上正五角形の回転の幾何学的中心軸１１（図４参照）を有する。カットの切子面は、かくして正五角形または実質上正五角形の配置で幾何学的中心軸１１の周りに５分割の点対称に配置される。
【００２５】
幾何学的中心軸１１は、好ましくは、カットされるべき原石のダイヤモンドの幾何学的形状が許容するならば、ダイヤモンドの結晶構造の三元対称結晶軸の１つと一致する。テーブル１２およびガードル２０の平面（ガードル平面）は、原石のダイヤモンドの八面体結晶の切子面の１つに平行であって、これは原石のダイヤモンドの切り取りによりテーブル１２の位置を定めることを可能とし、テーブル１２がダイヤモンドの結晶構造の三元対称結晶軸の１つに対して垂直であるときに、一般に必要であるような鋸引きを回避し得る。
【００２６】
クラウン１０は、カットの正確度により正五角形または実質上正五角形のテーブル１２を有する。テーブル１２からは、後述するパビリオン３０にカットされた第９の切子面３５等が五弁の花びらのように透過して見られることになる。
【００２７】
クラウン１０は、正五角形または実質上正五角形の輪郭を持つテーブル１２と、テーブル１２と縁部を共有する５個の三角形の第１の切子面２１と、第１の切子面２１の間に介在する平行四辺形の１０個の第２の切子面２２と、第２の切子面２２と縁部を共有する１０個の平行四辺形の第３の切子面２３と、第２の切子面２２および第３の切子面２３と縁部を共有する１０個の三角形の第４の切子面２４とを有する。１０個の第４の切子面２４は、ガードル２０に連結されている。
【００２８】
ガードル２０の輪郭は、図１および図２に示すように、幾何学的中心軸１１に対し垂直に見た時、５個の頂点１３と、５個の稜線１４とを持つ正五角形または実質上正五角形の形状を有する。
【００２９】
パビリオン３０は、ガードル２０と縁部を共有する５個の三角形の第５の切子面３１と、第５の切子面３１と縁部を共有する１０個の三角形の第６の切子面３２と、第６の切子面３２の間に介在する５個の平行四辺形の第７の切子面３３と、第６の切子面３２および第７の切子面３３と縁部を共有する１０個の三角形の第８の切子面３４と、第８の切子面３４の間に介在する５個の平行四辺形の第９の切子面３５とを有する。５個の第９の切子面３５は、キューレット３６に連結されている。
【００３０】
図５に示すように、ガードル２０の輪郭をなす正五角形または実質上正五角形の対角線の長さを１００％とすると、テーブル１２の正五角形または実質上正五角形の対角線の長さは、好ましくは５３〜５８％に形成されている。また、クラウン１０の高さは、好ましくは１５〜２０％に形成されている。さらに、パビリオン３０の深さは、好ましくは４０〜５５％に形成されている。なお、ガードル２０の高さは、任意であるが、比較的小さい値に形成されている。
【００３１】
図６に示すように、クラウン角α、すなわちガードル平面と第３の切子面２３との角度は、好ましく３４°から３８°の間に形成されている。パビリオン角β、すなわちガードル平面と第９の切子面３５との角度は、好ましく３８°から４２°の間に形成されている。キューレット角γ、すなわちキューレット３６を挟む第９の切子面３５と第９の切子面３５との角度は、好ましく１０５°から１０９°の間に形成されている。
【００３２】
このように構成された実施例１に係る宝石であるダイヤモンドは、例えば、以下のような工程でカッティングされる。
【００３３】
まず、原石検査およびマーキングを行う。詳しくは、天然産の原石の形は規則正しいことは少なく、多くの場合、形状不完全や欠陥の多い。従って、加工に当たっては、まず、原石の形状，結晶形，双晶，不純物，亀裂などの有無を入念に検査および選択して、それにより品位の分類を行い、用途および有効な加工法を決定する。
【００３４】
次に、クリーバーによる劈開を行う。詳しくは、原石のダイヤモンドの不純物や不規則な部分を取り除くために、１個の原石を２つまたはそれ以上に分割する。原石をいくつかに分割したり、欠陥部を取り除くのに、研磨作業では能率的にはいかないので、劈開を利用する。不規則な形の原石のダイヤモンドでも、必ず六面体，八面体，十二面体のどれか一つに相当する面を持つ。ダイヤモンドの劈開性は完全なので、その可能な方向は、ダイヤモンドの幾何学的中心軸１１に対し垂直な平面に平行な方向になる。好ましくは、ダイヤモンドの八面体結晶の一面に対して平行な劈開により、テーブル１２を得る。
【００３５】
続いて、必要であれば、ソーヤーによる鋸引きを行う。詳しくは、普通１個の原石のダイヤモンドを中央で二分割して２個取りにする場合に使用する。切断可能な結晶の方向は限定される。
【００３６】
次に、クラウン１０およびパビリオン３０の異なる切子面をカッティングする。このカットは、好ましくはレーザーカッティング装置の助けでなされる。ガードル２０のカット面は、次いでレーザー燃焼による黒い炭化の全ての痕跡が消失するまで研磨されかつ清浄化される。
【００３７】
続いて、ポリッシャによる研磨を行う。詳しくは、ダイヤモンドは、最後に研磨砥石車の上で研磨される。クラウン１０の３１面とパビリオン３０の３５面がブリリアンティアによって研磨される。同様に、ガードル２０の正五角形または実質上正五角形の輪郭が５個の頂点１３および５個の稜線１４を以てカッティングされる。
【００３８】
カットされたダイヤモンドは、正五角形または実質上正五角形の形状を有する全体の内部反射を得ることを可能とし、これはダイヤモンドに新しいオリジナルな光学的効果を与える。すなわち、正五角形または実質上正五角形がパビリオン３０の第５〜第９の切子面３１〜３５上の全体の内部反射およびクラウン１０の第１〜第４の切子面２１〜２４上の特異な反射と結びついて、その正五角形または実質上正五角形の分布の故に、顕著かつオリジナルな光輝および輝きを得ることを可能とする。
【００３９】
以上、本考案に係る実施例１を説明したが、これはあくまでも例示にすぎず、本考案はこれに限定されるものではなく、実用新案登録請求の範囲の趣旨を逸脱しない限りにおいて、当業者の知識に基づく種々の変更が可能である。特に、本考案に係る宝石のカットは、ダイヤモンドの屈折率および散乱係数と類似ないし実質上等しい屈折率や散乱係数を持つ他の石および宝石についても遂行され得る。代替の石の屈折率を考慮して切子面の傾斜の角度を変えることが望ましい。従って、切子面の角度は原石の形状に従って変化され得る。他の補充の切子面も添加され得る。
【産業上の利用可能性】
【００４０】
本考案は、ダイヤモンド等の天然宝石に限らず、コランダム，キュービックジルコニア等の合成宝石，人造宝石等の準宝石にも広く利用することができる。
【符号の説明】
【００４１】
１０  クラウン
１１  幾何学的中心軸
１２  テーブル
２０  ガードル
２１  第１の切子面
２２  第２の切子面
２３  第３の切子面
２４  第４の切子面
３０  パビリオン
３１  第５の切子面
３２  第６の切子面
３３  第７の切子面
３４  第８の切子面
３５  第９の切子面
３６  キューレット
【図１】
0003149720.tif 000003
【図２】
0003149720.tif 000004
【図３】
0003149720.tif 000005
【図４】
0003149720.tif 000006
【図５】
0003149720.tif 000007
【図６】
0003149720.tif 000008